(57)【要約】【課題】既存の引き出しへ個別に簡易な設置ができ,かつ確実に引き出しの解放を防止できる解除機能を有する解放防止具を提供する。【解決手段】引き出しに固着される第1部材が、引き出しの開放を防止する掛止部をその後端部の近くで略垂直面内に回動可能に保持し、前記掛止部はその先端部の近くで下方へ突設される掛止爪を備え、机に固着される第２部材が前記掛止爪を掛止する掛止受け部を備え、掛止部の先端部の近くに掛止阻止部を掛止阻止部の重心外して略垂直面内に回動可能に保持し、前記引き出しが閉止されると、前記掛止爪と前記掛止受け部との掛止がなされ、前記掛止部の先端部が上方へ回動されて前記掛止阻止部の回動が可能になると、前記掛止阻止部の重心が下方へ回動して前記掛止爪と前記掛止受け部との掛止を阻止することで前記引き出しの開放が可能になる。【選択図】図１
2016022048.tif 000002
【特許請求の範囲】
【請求項１】
引出しに固着される第1部材と、引出し本体に固着される第２部材とを備える引出し解放防止具であって、
前記第1部材が、前記引出しの開放を防止する掛止部をその後端部の近くで略垂直面内に回動可能に保持し、前記掛止部はその先端部の近くで下方へ突設される掛止爪を備え、前記第２部材が前記掛止爪を掛止する掛止受け部を備え、
前記掛止部が、その先端部の近くに前記掛止爪と前記掛止受け部との掛止を阻止する掛止阻止部を有し、その掛止阻止部の重心を外して該掛止阻止部を略垂直面内に回動可能に保持し、
前記引出しが閉止される際に、前記掛止阻止部が前記掛止受け部により押されてその重心が上方へ回動した状態で保持されて掛止を阻止する機能を失い、前記掛止爪と前記掛止受け部との掛止がなされ、
前記掛止部の先端部が上方へ回動されて前記掛止阻止部の回動が可能になると前記掛止阻止部の重心が下方へ回動して前記掛止爪と前記掛止受け部との掛止を阻止することで前記引出しの開放が可能になることを特徴とする引出し解放防止具。
【請求項２】
前記引出しが開放された状態で、前記第１部材が、前記掛止部の下方への回動を阻止して前記掛止部を略水平に保持する保持部を有し、略水平に保持された前記掛止部の前記掛止爪の下端の位置が、前記掛止阻止部の下端の位置よりも上にあることを特徴とする請求項１に記載の引出し解放防止具。
【請求項３】
前記掛止部の上下方向の幅が、前記掛止爪の下端から上方に向けて狭くなるように形成されていることを特徴とする請求項１又は2に記載の引出し解放防止具。
【請求項４】
前記掛止部が、前記掛止部を回動可能に保持する回動の軸よりも後方において前記掛止部を回動させて前記掛止阻止部を機能させる押圧部を有することを特徴とする請求項１乃至３の何れかに記載の引出し解放防止具。
【請求項５】
前記掛止阻止部の底辺部の形状が、回動軸を中心とする円弧であることを特徴とする請求項１乃至４の何れかに記載の引出し解放防止具。
【発明の詳細な説明】
【技術分野】
【０００１】
本発明は、地震等による建屋の揺れ、振動、傾斜によって生じる家具やキャビネットまたは机等の引出しの解放を防止する引出し解放防止具に関する。
【背景技術】
【０００２】
従来、家庭の食器棚、本棚、洋服ダンス等の収納家具や、事務所の机や各種キャビネッ
トの引出しは、頻繁に使用されるために開閉が容易な構造となっている。
【０００３】
このような引出しは、この開閉容易な構造のために、地震で容易に解放してしまう。これを防止するために、例えば特許文献１に開示される引出し飛び出し防止構造では、引出しの底面に凹凸部を設け、地震で上下方向へ動く振り子をこの凹凸部へ係合させて引出しの開放を防止する構造が開示されている。
【０００４】
また、特許文献２では、引出しの開放を妨げるように掛け渡されたベルトにより地震の際の引出しの飛び出しを防止する構造が開示されている。
【０００５】
また、特許文献３では、通常は地震などに備えてロックされているが、使用時にはこれを解除する機構が開示されている。
【先行技術文献】
【特許文献】
【０００６】
【特許文献１】特開２００７−３７９３０号公報
【特許文献２】特開２０１２−２５４２６６号公報
【特許文献３】特開平９−２８７３３９号公報
【発明の概要】
【発明が解決しようとする課題】
【０００７】
しかしながら、特許文献１に開示される引出し飛び出し防止構造は、引出し内部に取り付ける必要があり、既に所有している収納家具への取り付けるは不便であった。特許文献２に開示される引出し飛び出し防止構造は強力であるが日常的に使用する場合取り外しに多少の手間が掛かる。また特許文献２に開示される引出し飛び出し防止構造は、ロック機構の解除機能を有するが構造が複雑でコストが掛かるという問題点がある。
【課題を解決するための手段】
【０００８】
この発明の目的は、上述した事情に鑑みなされたもので、既存の引出しへ個別に簡易な設置ができる引出し解放防止具を提供することである。
【０００９】
また、この発明の別の目的は、使用が簡便で、かつ確実に引出しの解放を防止できる解除機能を有する引出し解放防止具を提供することである。
【００１０】
上述した課題を解決し、目的を達成するため、この発明に係わる引出し解放防止具は、請求項１の記載によれば、引出しに固着される第１部材と、引出し本体に固着される第２部材とを備える引出し解放防止具であって、前記第１部材が、前記引出しの開放を防止する掛止部をその後端部の近くで略垂直面内に回動可能に保持し、前記掛止部はその先端部の近くで下方へ突設される掛止爪を備え、前記第２部材が前記掛止爪を掛止する掛止受け部を備え、前記掛止部が、その先端部の近くに前記掛止爪と前記掛止受け部との掛止を阻止する掛止阻止部を有し、その掛止阻止部の重心を外して該掛止阻止部を略垂直面内に回動可能に保持し、前記引出しが閉止される際に、前記掛止阻止部が前記掛止受け部により押されてその重心が上方へ回動した状態で保持されて掛止を阻止する機能を失い、前記掛止爪と前記掛止受け部との掛止がなされ、前記掛止部の先端部が上方へ回動されて前記掛止阻止部の回動が可能になると前記掛止阻止部の重心が下方へ回動して前記掛止爪と前記掛止受け部との掛止を阻止することで前記引出しの開放が可能になることを特徴とする。
【００１１】
また、目的を達成するため、この発明に係わる引出し解放防止具は、請求項２の記載によれば請求項１に記載の引出し解放防止具において、前記引出しが開放された状態で、前記第１部材が、前記掛止部の下方への回動を阻止して前記掛止部を略水平に保持する保持部を有し、略水平に保持された前記掛止部の前記掛止爪の下端の位置が、前記掛止阻止部の下端の位置よりも上にあることを特徴とする。
【００１２】
また、目的を達成するため、この発明に係わる引出し解放防止具は、請求項３の記載によれば請求項１又は２に記載の引出し解放防止具において、前記掛止部の上下方向の幅が、前記掛止爪の下端から上方に向けて狭くなるように形成されていることを特徴とする。
【００１３】
また、目的を達成するため、この発明に係わる引出し解放防止具は、請求項４の記載によれば請求項１乃至３の何れかに記載の引出し解放防止具において、前記掛止部が、前記掛止部を回動可能に保持する回動の軸よりも後方に前記掛止部を回動させて前記掛止阻止部を機能させる押圧部を有すること特徴とする。
【００１４】
また、目的を達成するため、この発明に係わる引出し解放防止具は、請求項５の記載によれば請求項１乃至４の何れかに記載の引出し解放防止具において、前記掛止阻止部の底辺部の形状が、回動軸を中心とする円弧であることを特徴とする。
【発明の効果】
【００１５】
この発明によれば、既存の引出しに容易に設置できる引出し解放防止具を提供することができる。
【００１６】
また、この発明によれば、使用が簡便で、かつ確実に扉や引出しの解放を防止できる
解除機能機能のついた引出し解放防止具を提供することができる。
【図面の簡単な説明】
【００１７】
【図１】本発明の引出し解放防止具の側面図。
【図２】本発明の引出し解放防止具の動作の説明図。
【図３】掛止阻止部の別形状の説明図。
【発明を実施するための形態】
【００１８】
以下に図面を用いて本発明の実施例を説明する。図１は、本発明の引出し解放防止具１を示す側面図である。図２は、引出しが閉められる過程での引出し解放防止具１の状態の変化の説明図である。
【００１９】
本発明の引出し解放防止具１は、引出しの解放を防止したい机等に用いられる。図１は、床面に載置される机やキャビネットで使われる引出し解放防止具１の構造を示している。引出し解放防止具１は、引出しに固着される第１部材１０と引出しを収める机などの引出し本体に固着される第２部材２０を備える。
【００２０】
第１部材１０は、引出しに固着される固着板とこれに回動可能に取り付けられる板状のほぼ長方形の掛止部３を有する。固着板の最下部はＬ字型に成形され第１回動軸５を中心にして回動する掛止部３をほぼ水平な角度でとどまるように支える。
【００２１】
掛止部３はその先端部分の近くに下方へ突設される掛止爪７を備えており、これが第２部材２０の底辺に設けられる掛止受け部２１により掛止されて、引出しの開放を防止する。
【００２２】
引出しが閉止されて引出し解放防止具１により引出しがロックされると引出しを開けることができなくなる。そこで、ロックを解除する機構として、図１の掛止部３の先端付近に第２回動軸６を中心にして回動可能に掛止阻止部４の重心から外れた部分で掛止阻止部４を取り付ける。実線で示す掛止阻止部４は下へ下がり掛止を阻止した状態を示す。
【００２３】
掛止阻止部４は引出しが閉止された状態では図１の点線で示す４Ｌ（Ｌｏｃｋ）になっており掛止を阻止する機能を発揮できない。この状態で引出しが引かれると、掛止爪７が掛止受け部２１に移動を阻害されて、引出しの開放が防止される。
【００２４】
ここで引出しを開放するために掛止部３の後端部に設けられた押圧部９を下方へ押すと、掛止部３が第１回同軸５を中心に回動して、掛止部３の先端部分に有る掛止爪７が掛止受け部２１よりも上に移動する。
【００２５】
そうすると、掛止阻止部４は実線の状態になりその底辺が掛止受け部２１で支えられる。掛止阻止部４の第２回動軸６からその底辺までの寸法は掛止爪７が掛止受け部２１よりも上にあるように決める。これは、略水平に保持された掛止部３の掛止爪７の下端の位置が、掛止阻止部４の下端の位置よりも上にあることを意味する。
【００２６】
つまり、押圧部９を下方へ押すことで、掛止阻止部４が図１の点線で示す４Ｌの状態から反時計回りに回動して実線で示す位置へ移動する。掛止阻止部４が実線で示す位置へ移動することで押圧部が下方へ押されたことを記憶するので、押圧部９は一度押せば良い。この状態で、掛止部３の掛止の機能が働かなくなり、押圧部９はロック機能の解除として働く。
【００２７】
次に、図２の（Ａ）〜（Ｅ）を用いて、引出しが閉止される際の引出し解放防止具１の動きを説明する。
【００２８】
図２（Ａ）は引出しが外へ引き出された状態から引出しが閉止され始める様子を示している。掛止部３は第１部材の下辺に支えられてほぼ水平な角度で右へ移動を開始する。掛止部３の先端部分の当たり辺８が机や引出し本体に接着材や両面テープで固着された第２部材の掛止受け部２１に当たり掛止部３の先端部分がせりあがる。この状態では掛止阻止部４は下へ垂れ下がった状態である。
【００２９】
図２（Ｂ）は掛止部３の先端部分がせりあがって、掛止阻止部４が掛止受け部２１に当たり始める様子を示している。掛止部３の先端部分がせりあがるのは、掛止部３の先端部分の当たり辺８の有る掛止部３の上下方向の寸法が先端から次第に大きくなっており、掛止部３の横方向の移動が掛止部３の回動により上下方向の移動へ変換されるためである。
【００３０】
図２（Ｃ）は掛止部３が掛止受け部２１の中央付近を越えて進んでいる状態を示す。掛止阻止部４は掛止受け部２１に押されて時計方向へ回動している。
【００３１】
図２（Ｄ）は掛止部３が掛止受け部２１の右端へ到達して掛止爪７が掛止受け部２１の支えから外れる寸前の様子を示している。
【００３２】
図２（Ｅ）は掛止部３が掛止受け部２１の右端から外へ外れ、掛止部３の下辺が掛止受け部２１に支えられている状態を示す。掛止阻止部４は時計方向へ回動して、その横の辺を掛止受け部２１に支えられている。この状態では、引出しを開放することは掛止爪７が掛止受け部２１に阻まれて阻止される。
【００３３】
掛止阻止部４の形状は図１及び２に示す以外に、図３（ア）及び図３（イ）に示すようにＴ字型や矩形でもよい。掛止部３を水平に保った状態で、下へ垂れ下がるために第２回動軸６は重心よりも上にする必要がある。また、掛止阻止部４と掛止受け部２１との関係を滑らかにするために、掛止阻止部４の底辺が回動軸を中心とする半径Ｒの円弧になっていることが好ましい。
【００３４】
以上のように、本発明により、構造が簡単で安価に製造可能な引出し等の引出し解放防止具１を提供可能である。また、取り付けが容易で、強固に引出し等の解放を防止することのできる引出し解放防止具１を提供することができる。さらに、本発明は、引出しの左側面、右側面、天面のどこにでも、取り付け可能であり使用者にとって利便性が高い。
【符号の説明】
【００３５】
１  引出し解放防止具
１０  第１部材
２０  際２部材
２１  掛止受け部
３  掛止部
４  掛止阻止部
４Ｌ  掛止状態での掛止阻止部
５  第１回動軸
６  第２回動軸
７  掛止爪
８  当たり辺
９  押圧部
【図１】
2016022048.tif 000003
【図２】
2016022048.tif 000004
【図３】
2016022048.tif 000005